(57)【要約】【課題】銃の再生が不可能で、かつ不使用化処理が容易で、観賞価値を低下させることなく、さらに使用時の重さ、動作を実感することができ、保管・展示が容易な再使用不可能な銃と、それを展示した銃のディスプレイを提供する。【解決手段】銃の裏面の銃身部、薬室、遊筒、フレームの内１以上に外部と銃の内部空間を貫通させる孔及び／又は銃床部に穴を穿設したことを特徴とする再使用不可能な銃の構成とした。また、前記再使用不可能な銃と、前記孔及び／又は穴に陥入させる係止部を備えたケースと、からなることを特徴とする銃のディスプレイ。【選択図】図１
0003177499.tif 000002
【実用新案登録請求の範囲】
【請求項１】
銃の裏面の銃身部、薬室、遊筒、フレームの内１以上に外部と銃の内部空間を貫通させる孔及び／又は銃床部に穴を穿設したことを特徴とする再使用不可能な銃。
【請求項２】
請求項１に記載の再使用不可能な銃と、前記孔及び／又は穴に陥入させる係止部を備えたケースと、からなることを特徴とする銃のディスプレイ。
【考案の詳細な説明】
【技術分野】
【０００１】
本考案は、本物の銃を再使用不可能にした銃と、その銃を展示、保管する銃のディスプレイに関する。
【背景技術】
【０００２】
本物の銃を手放す場合、所有許可を抹消するとともに、銃を警察或いは銃砲店に引き取ってもらう。そして、銃は廃棄されるが、廃棄する場合には、使用できない状態にすることが法律で義務付けられている。使用できない状態にする手段として、一般に銃を切断、溶融している。
【０００３】
しかしながら、銃を切断してしまった場合には、骨董価値がある銃であっても、その価値は皆無に等しい。そのため、銃を展示・保管するに際して、特許文献１、２のような方法が提案されている。
【先行技術文献】
【特許文献】
【０００４】
【特許文献１】実用新案登録第３０３０６５７号公報
【特許文献２】特許公報第２００２−３４０４９７号公報
【考案の概要】
【考案が解決しようとする課題】
【０００５】
しかしながら、特許文献１、２に記載の不使用化処理は、銃を分解し、外見から見えない位置に穴等を穿設するものであり、観賞価値を低下させることはないが、極めて煩雑な処理であった。
【０００６】
そこで、本考案は、銃の再生が不可能で、かつ不使用化処理が容易で、観賞価値を低下させることなく、さらに使用時の重さを実感することができ、保管・展示が容易な再使用不可能な銃と、それを展示した銃のディスプレイを提供することを目的とする。
【課題を解決するための手段】
【０００７】
本考案は、上記課題を解決するために、
（１）
銃の裏面の銃身部、薬室、遊筒、フレームの内１以上に外部と銃の内部空間を貫通させる孔及び／又は銃床部に穴を穿設したことを特徴とする再使用不可能な銃の構成とした。
（２）
（１）に記載の再使用不可能な銃と、前記孔及び／又は穴に陥入させる係止部を備えたケースと、からなることを特徴とする銃のディスプレイの構成とした。
【考案の効果】
【０００８】
本考案は、実弾を発砲していた本物の銃の背面に穴を複数穿設することで、観賞価値を損ねることなく、簡易に銃を不使用化処理することができる。また、再使用不可能にした銃をディスプレイするに際して、前記穴を係止部に係止するので、展示が容易で脱落がなく、あたかも本物で、使用できるかのように展示・保管することができる。これにより、猟銃等銃の歴史的保存、名銃の観賞ができ、猟銃所持者の記念になる。
【図面の簡単な説明】
【０００９】
【図１】本考案である再使用不可能な銃のディスプレイの側面図である。
【図２】本考案である再使用不可能な銃の分解図である。
【図３】本考案であるディスプレイの部分拡大図である。
【考案を実施するための形態】
【００１０】
以下、添付図面に基づいて、本考案について詳細に説明する。
【実施例１】
【００１１】
図１に示すように、本考案である銃のディスプレイ１は、再使用不可能な銃２と、それを収納するケース３と、からなる。
【００１２】
再使用不可能な銃２は、銃の裏面の銃身部、薬室、遊筒、フレームの内１以上に外部と銃の内部空間を貫通させる孔２ｅ及び／又は銃床部に穴２ｆを穿設することで、実弾の発射をできなくして、再使用不可能にした。
【００１３】
ケース３は、背板３ａと、背板３ａから起立する枠３ｂと、枠３ｂに嵌められたガラス３ｃと、背板３ａに突設した係止部３ｄとからなる。係止部３ｄに銃に穿設した孔２ｅを嵌めることで、ケース３内に再使用不可能な銃２を固定する。係止部３ｄの形状は、孔２ｅに嵌められる形状であれば、特に限定されない。ガラス３ｃに替えてアクリルなどプラスチック製の透明フィルムも採用できる。
【００１４】
ケース３は、密閉性を高め外気の侵入を防ぐと共に、内部空気或いは酸素を不活性ガス、例えばアルゴン、窒素ガスなどに置換することで、錆、カビを防止することができ、一層の長期保存が可能になる。
【００１５】
また、ケース３内、例えば背板３ａに、展示する銃の品名１ａ、銃の仕様書１ｃ、製造者名１ｂなどを備えることができる。仕様書１ｃには、銃の説明、例えば、仕様方法、銃の重さ、長さ、製造年月日、歴史的価値等、ケース３の素材などを記載する。
【００１６】
図２を参照して、穿設する孔２ｆ、２ｅの位置を、小銃を例に説明する。図２（Ａ）は再使用不可能な銃２の背面図である。（Ｂ）〜（Ｅ）は再使用不可能な銃２を銃身部２ａ（Ｂ）、フレーム部２ｃ（Ｄ）、銃床部２ｄ（Ｅ）に分解したときの背面図、先金部２ｂ（Ｃ）については底面図である。
【００１７】
孔２ｅは、何れも背面から内部空間に貫通するように穿設される。銃床部２ｄの穴２ｆは、銃を再使用不可能にする穴ではなく、銃を係止部３ｄ係止する場合に、バランスをとるために使用する。
【００１８】
ここでは、ライフル銃、散弾銃などの小銃を例示したが、射撃競技用の銃、エアガンなど銃の種類に関係なく、銃の裏面のみに銃の内部空間に通じる孔を穿設することで、銃を再使用不可能にすることができ、それをケース内に固定して銃のディスプレイとすることができる。
【００１９】
図３に、トリガー２ｇと用心金２ｈで形成される輪部２ｉに係止部４に係止し、盗難防止策を施した場面を示した。係止部４は、図３（Ａ）、（Ｂ）に示すように、断面Ｔ字状で、背板３ａの背面側に位置する面４ａと、背板３ａの背面から前面側に挿通する棒４ｂとからなる。棒４ｂの側面には穴４ｃが貫通している。
【００２０】
そして、面４ａはネジなどの留め具４ｄで背板３ａに固定される。その上で、図３（Ａ）に示すように、トリガー２ｇの輪部２ｉを棒４ｂに係止し、穴４ｃに錠５を通して施錠する。
【００２１】
そのようにすることで、再使用不可能な銃２は、銃のディスプレイ１から取り外せなくなり、盗難防止にも資する。また、一層の安全性の観点から、銃の内部部品を取り除いてもよい。
【符号の説明】
【００２２】
１      銃のディスプレイ
１ａ    品名
１ｂ    製造者名
１ｃ    仕様書
２      再使用不可能な銃
２ａ    銃身部
２ｂ    先金部
２ｃ    フレーム部
２ｄ    銃床部
２ｅ    孔
２ｆ    穴
２ｇ    トリガー
２ｈ    用心金
２ｉ    輪部
３      ケース
３ａ    背板
３ｂ    枠
３ｃ    ガラス
３ｄ    係止部
４      係止部
４ａ    面
４ｂ    棒
４ｃ    穴
４ｄ    留め具
５      錠
【図１】
0003177499.tif 000003
【図２】
0003177499.tif 000004
【図３】
0003177499.tif 000005